(57)【要約】【課題】簡単な構成で自動的に警戒モードを設定できるセキュリティシステムおよびセキュリティシステムにおける警戒モード設定方法を提供する。【解決手段】メインコントローラは、照明連動モードに設定されると（ＳＰ１）、夜間の時間帯であるかを判別し（ＳＰ３）、照明灯が消灯されたことを判別すると（ＳＰ４）、警戒モードを設定し（ＳＰ５）、窓センサが窓の開かれたことを検知して異常検知信号を出力すると（ＳＰ８）、ドアーセンサや他の窓センサにブザー鳴動信号を出力してブザーを鳴らさせる（ＳＰ９，ＳＰ１０）。【選択図】図６
2007272595.tif 000002
【特許請求の範囲】
【請求項１】
警戒モードと、非警戒モードとに設定可能なセキュリティシステムであって、
所定の部屋の主たる照明の消灯状態を検知する検知手段と、
前記検知手段が前記照明の消灯状態を検知したことに応じて、信号を出力する出力手段と、
前記出力手段からの出力信号を受けて、前記警戒モードを設定する警戒モード設定手段とを備える、セキュリティシステム。
【請求項２】
前記所定の部屋には、前記照明として主たる照明灯と、従たる照明灯とを含む照明器具が設けられていて、
前記検知手段は、前記主たる照明灯の消灯を検知する、請求項１に記載のセキュリティシステム。
【請求項３】
前記所定の部屋には、前記照明器具が複数設けられていて、
前記検知手段は、前記複数の照明器具の各主たる照明灯の消灯を検知する、請求項２に記載のセキュリティシステム。
【請求項４】
前記検知手段は、前記照明の電源スイッチのオフを検知する、請求項１から３のいずれかに記載のセキュリティシステム。
【請求項５】
前記検知手段は、前記照明による照度が所定値以下であれば前記照明の消灯を検知する、請求項１から３のいずれかに記載のセキュリティシステム。
【請求項６】
前記警戒モード設定手段は、前記検知手段によって検知された照度が前記所定値を超えたことに応じて前記警戒モードを解除して非警戒モードにする、請求項５に記載のセキュリティシステム。
【請求項７】
前記照明器具は、建物内に複数設けられており、
前記検知手段は、前記複数の照明器具の少なくとも１つ以上の主たる照明灯の消灯を検知したことに応じて前記信号を出力する、請求項２から６のいずれかに記載のセキュリティシステム。
【請求項８】
外部からの侵入または異常を検知する異常検知手段を含み、
前記警戒モード設定手段は、前記警戒モードに応じて、前記異常検知手段による警戒動作を作動させる、請求項１から７のいずれかに記載のセキュリティシステム。
【請求項９】
前記警戒モードが設定される時間帯を設定するための時間帯設定手段を含み、
前記警戒モード設定手段は、前記時間帯設定手段によって設定されている時間帯において、前記出力手段から出力信号が与えられたことに応じて前記警戒モードを設定する、請求１から８のいずれかに記載のセキュリティシステム。
【請求項１０】
前記異常検知手段は、警報を報知する警報報知手段を含み、異常を検知したことに応じて前記警報報知手段から警報を報知させる、請求項８または９に記載のセキュリティシステム。
【請求項１１】
前記異常検知手段は、複数設けられており、
前記警戒モード設定手段は、前記複数の異常検知手段のいずれかが異常を検知したことに応じて、その異常検知手段を除く他の異常検知手段の警報報知手段から警報を報知させる、請求項８から１０のいずれかに記載のセキュリティシステム。
【請求項１２】
警戒モードと、非警戒モードとに設定可能なセキュリティシステムにおける警戒モード設定方法であって、
所定の部屋の主たる照明の消灯を検知し、
前記照明の消灯を検知したことに応じて、信号を出力し、
前記信号を受けて、前記警戒モードを設定する、セキュリティシステムにおける警戒モード設定方法。
【発明の詳細な説明】
【技術分野】
【０００１】
この発明はセキュリティシステムおよびセキュリティシステムにおける警戒モード設定方法に関し、例えば、居住者が外出しているとき、あるいは就寝しているときの安全を保護するセキュリティシステムおよびセキュリティシステムにおける警戒モード設定方法に関する。
【背景技術】
【０００２】
最近では各住居で不審者の侵入による被害を阻止するために、ホームセキュリティシステムが普及してきており、例えば特開平９−２７０８６号公報（特許文献１）には、ホームセキュリティシステムの一例の防犯システムが記載されている。ホームセキュリティシステムでは、不審者が窓やドアーから住居内に侵入するのをセンサで検出し、アラームを鳴動させている。
【０００３】
ホームセキュリティシステムは、警戒モードと、非警戒モードとのいずれかを設定可能にされている。警戒モードは、センサが異常を検知すると警報を出力できる状態を言う。非警戒モードは、センサが異常を検知しても警報として出力しない状態を言う。
【０００４】
さらに、警戒モードとして、在宅警戒モードと、不在警戒モードの２種類を設けることがある。在宅警戒モードは、家族が在宅していて就寝している場合に設定されるモードであり、外から家の中に入り込む侵入者を検知するセンサのみを動作させる。不在警戒モードは家族が外出しているときに設定されるモードであり、センサやアラームなどの全ての端末機器を動作させる。
【０００５】
警戒モードと非警戒モード、あるいは警戒モードにおける在宅警戒モードと不在警戒モードの設定方法として、居住者がスイッチなどを操作して手動で設定する方法や、タイマなどで自動的に設定する方法などがある。
【０００６】
しかし、手動による設定は、毎日設定するのが煩わしく、忘れることもある。自動的に設定する方法は、日によって生活パターンが変わる場合には対応できないという問題がある。特に、家族が外出するときには不在警戒モードに設定する必要があるが、家族が外出したことを自動的に検出するセンサが必要となる。
【０００７】
特開２００３−１６５５６号公報（特許文献２）には、少なくとも１台の家庭用電気製品が作動しているか否かを検出することで人の有無を判断し、この判断結果に基づいて所定の通知情報を居住者が所有する携帯電話機に通知することにより、セキュリティ管理コストを低減するセキュリティ管理装置について記載されている。
【０００８】
特開平８−７７４７６号公報（特許文献３）には、照明灯の点灯時間を計時するタイマ監視回路を設け、タイマ監視回路で計時した点灯時間が標準点灯時間を越えていれば、警報を発する生活情報異常監視システムについて記載されている
【特許文献１】特開平９−２７０８６号公報（要約）
【特許文献２】特開２００３−１６５５６号公報(要約)
【特許文献３】特開平８−７７４７６号公報（要約）
【発明の開示】
【発明が解決しようとする課題】
【０００９】
特許文献２は、セキュリティ管理コストを低減するために、家庭用電気製品が作動した場合には、屋内に人がいることを外出している居住者に知らせるものに過ぎない。
【００１０】
特許文献３に記載されている生活情報異常監視システムは、点灯時間が設定されている標準点灯時間を越えていれば警報を発するに過ぎず、セキュリティを目的としていない。
【００１１】
そこで、この発明は、簡単な構成で自動的に警戒モードを設定できるセキュリティシステムおよびセキュリティシステムにおける警戒モード設定方法を提供することである。
【課題を解決するための手段】
【００１２】
この発明は、警戒モードと、非警戒モードとに設定可能なセキュリティシステムであって、所定の部屋の照明の消灯を検知する検知手段と、検知手段が照明の消灯を検知したことに応じて、信号を出力する出力手段と、出力手段からの出力信号を受けて、警戒モードを設定する警戒モード設定手段とを備える。
【００１３】
具体的には、所定の部屋には、照明として主たる照明灯と、従たる照明灯とを含む照明器具が設けられていて、検知手段は、主たる照明灯の消灯を検知する。あるいは、所定の部屋には、照明器具が複数設けられていて、検知手段は、複数の照明器具の各主たる照明灯の消灯を検知する。
【００１４】
具体的には、検知手段は、照明の電源スイッチのオフを検知するか、あるいは照明による照度が所定値以下であれば、照明の消灯を検知する。
【００１５】
好ましくは、警戒モード設定手段は、検知手段によって検知された照度が所定値を超えたことに応じて警戒モードを解除して非警戒モードにする。
【００１６】
好ましくは、照明器具は、建物内に複数設けられており、検知手段は、複数の照明器具の少なくとも１つ以上の主たる照明灯の消灯を検知したことに応じて信号を出力する。
【００１７】
好ましくは、外部からの侵入または異常を検知する異常検知手段を含み、警戒モード設定手段は、警戒モードに応じて、異常検知手段による警戒動作を作動させる。
【００１８】
さらに、警戒モードが設定される時間帯を設定するための時間帯設定手段を含み、警戒モード設定手段は、時間帯設定手段によって設定されている時間帯において、出力手段から出力信号が与えられたことに応じて警戒モードを設定する。
【００１９】
好ましくは、異常検知手段は、警報を報知する警報報知手段を含み、異常を検知したことに応じて警報報知手段から警報を報知させる。
【００２０】
好ましくは、異常検知手段は、複数設けられており、警戒モード設定手段は、複数の異常検知手段のいずれかが異常を検知したことに応じて、その異常検知手段を除く他の異常検知手段の警報報知手段から警報を報知させる。
【００２１】
この発明の他の局面は、警戒モードと、非警戒モードとに設定可能なセキュリティシステムにおける警戒モード設定方法であって、所定の部屋の照明の消灯を検知し、照明の消灯を検知したことに応じて信号を出力し、その信号を受けて、警戒モードを設定する。
【発明の効果】
【００２２】
この発明においては照明の消灯を検知したことに応じて信号を出力し、出力信号を受けて警戒モードを設定するようにしたので、簡単な構成で自動的に警戒モードを設定できる。
【発明を実施するための最良の形態】
【００２３】
図１はこの発明の一実施形態におけるセキュリティシステム１０の全体の構成を示す概略ブロック図である。ここでは、この発明を不審者の侵入や災害などの発生による異常を監視するホームセキュリティシステムに適用したものとして説明する。図１において、セキュリティシステム１０は、警戒モード設定手段としてのメインコントローラ２０と、メインコントローラ２０に接続されて制御される端末機器とを含む。
【００２４】
端末機器は、検知手段としての照明センサ１１と、異常検知手段としてのドアーセンサ１２、窓センサ１３、カーモニタ１４および火災検知器１５と、カメラ１６とを含む。照明センサ１１は、居住者が夜間に就寝のために、例えば居間の照明器具である照明灯を消灯したことを検知するものであり、消灯したことを検知すると、消灯検知信号をメインコントローラ２０に、例えば無線で与える。
【００２５】
なお、居間の照明器具には、主たる照明灯である電球や蛍光灯以外に、ナツメ球やローソク球などの小玉電球の常夜灯が従たる照明灯として設けられている場合がある。この実施形態において、照明とは部屋の照明器具群の全てを意味し、照明器具とは１つの筐体に収納されている照明灯群の全てを意味し、照明灯とは蛍光灯、白熱灯、ナツメ球などの個々の電灯・電球を意味するものとする。また、消灯とは照明灯が消灯している場合を意味しており、消灯状態とは、照明が消灯しているとみなせることを意味し、常夜灯レベルの照明灯は点灯している場合も含むものとする。
【００２６】
メインコントローラ２０は、例えば照明センサ１１から消灯したことを示す消灯検知信号が与えられていないときは非警戒モードを設定し、消灯検知信号が与えられると警戒モードを設定する。警戒モードは、異常検知センサであるドアーセンサ１２、窓センサ１３、カーモニタ１４および火災検知器１５を作動状態に設定するモードであり、非警戒モードは作動状態を解除したモードである。
【００２７】
警戒モードにおいて、ドアーセンサ１２はドアーが開かれたか否かを検知しており、ドアーが開かれると異常検知信号をメインコントローラ２０に出力する。窓センサ１３は、窓に配置されており、警戒モードにおいて、窓が開かれたか否かを検知しており、窓が開かれると異常検知信号をメインコントローラ２０に出力する。
【００２８】
カーモニタ１４は、警戒モードにおいて、例えば、自動車の周囲を不審者がうろついたり、自動車に振動や衝撃が加えられたりしたことを検知する。火災検知器１５は、警戒モードにおいて、火災の発生を検知する。カメラ１６は、例えば部屋内の様子や部屋に侵入した不審者を撮影する。なお、以下の説明における異常とは、不審者の侵入や火災などの災害を総称するものとする。
【００２９】
また、端末機器として、必要に応じて、家電コントローラや給湯コントローラや空調コントローラなどを設けてもよい。家電コントローラは、各種家庭電気製品のオン，オフを遠隔的に制御でき、給湯コントローラはユニットバスへの給湯を遠隔的に制御でき、空調コントローラは部屋内の空調温度を遠隔的に制御できる。
【００３０】
メインコントローラ２０は、警戒モードを設定した後に、ドアーセンサ１２、窓センサ１３、カーモニタ１４および火災検知器１５のいずれかから異常検知信号が与えられると、ブザー鳴動信号を出力する。なお、メインコントローラ２０には、サイレンや警報ブザーによる警報を解除するためのスイッチ２１が接続されていてもよい。
【００３１】
メインコントローラ２０の出力は、ルータ３０から公衆電話回線３１を介してインターネット回線３２に接続されている。インターネット回線３２には、サーバ３３を介して基地局３４が接続されている。例えば、居住者が夜間に外出するときに照明灯を消灯し、ホームセキュリティシステムを警戒モードに設定すると、異常が発生したときには、居住者の携帯電話機３５に警報情報などをメールにて知らせることが可能になる。携帯電話機３５のメールアドレスなどの連絡情報は、メインコントローラ２０に予め登録しておけばよい。さらに、カメラ１６で撮影された侵入者の画像などを携帯電話機３５にメールなどで送信して表示してもよい。
【００３２】
図２は、図１に示した照明センサ１１を示すブロック図である。図２において、照明センサ１１は、例えば居間などの特定の部屋の照明灯４１が消灯しているかどうかを検知するものであり、出力手段としての制御部１１１と、制御部１１１に接続されて制御される検知部１１２および通信部１１３とを含む。照明灯４１は照明スイッチの接点４２が開かれると消灯する。接点４２に対して並列に連動する別の接点４３が設けられており、検知部１１２は、接点４３のオン、オフを検知することで、照明灯４１が消灯しているか否かを検知し、消灯していることを検知すると消灯検知信号を制御部１１１に出力する。
【００３３】
なお、高機能な照明灯などでは、スイッチがオン→オフ→オンとなるように、スイッチを所定の時間内で素早く操作することにより、蛍光灯２本点灯→全消灯→蛍光灯１本のみ点灯→全消灯→常夜灯のみ点灯→全消灯、のように点灯状態の切換ができるものがある。照明センサ１１として、高機能な照明灯などと同様にして、所定時間内にオン、オフされたかどうかを判断する機能を含めておけば、常夜灯だけが点灯しているかどうかを判断できる。
【００３４】
また、１つの部屋に主たる照明灯と、従たる照明灯とを含む複数の照明器具が設けられていてもよい。この場合には、照明センサ１１は少なくとも１つの主たる照明灯の電源がオフしていることを検知するようにしてもよい。
【００３５】
さらに、検知部１１２は接点４３の機械的な開閉を検知することなく、照明灯４１の明るさを検知する照度センサを用いてもよい。照度センサを用いた場合には、検知した照度が所定値以下になれば照明灯４１が消灯したものと判別すればよい。照度センサであれば、常夜灯のみが点灯している状態を検出することも可能になる。さらに、照度センサであれば、例えば、照明が点灯したときあるいは朝になってカーテンが開かれたことを検知して、警戒モードを解除して、非警戒モードにすることも可能になる。また、１つの部屋に主たる照明灯と、従たる照明灯とを含む複数の照明器具が設けられていて、照度センサにより、少なくとも１つの主たる照明灯の消灯を検知するようにしてもよい。
【００３６】
制御部１１１は、消灯検知信号に基づいて通信部１１３に出力する。通信部１１３はメインコントローラ２０と通信を行うものであり、例えば無線ＬＡＮあるいは特定小電力無線が用いられ、制御部１１１からの出力に基づいて、消灯検知信号をメインコントローラ２０に出力する。
【００３７】
図３は、図１に示した窓センサ１３を示すブロック図である。窓センサ１３は、制御部１３１と、制御部１３１に接続されて制御される検知部１３２、通信部１３３およびブザー１３４とを含む。検知部１３２は、状態の変化を識別できるものであればよいが、例えば、振動センサ、焦電センサ、リードスイッチ、ドップラーセンサ、ＭＩＲ（Ｍｉｃｒｏ  Ｉｍｐｕｌｓｅ  Ｒａｄａｒ）センサなどを用いることができる。
【００３８】
振動センサは、例えば、ドアーや窓などに設置することにより、窓が開かれたときの振動を検知したり、ピッキングなどの鍵を触る際の音や振動を検知したりできる。焦電センサやドップラーセンサを設置すれば、人の存在や物体移動を検知できる。また、リードスイッチやＭＩＲセンサをドアーに設置すれば、窓の開閉を検知したり、ガラスが割られたりしたことなどを検知できる。なお、ＭＩＲセンサは、反射を見て物体を検知するものである。
【００３９】
制御部１３１は、窓が開かれたことを検知部１３２が検知すると、異常検知信号を通信部１３３に出力する。通信部１３３はメインコントローラ２０と通信を行うものであり、例えば無線ＬＡＮあるいは特定小電力無線が用いられ、制御部１３１からの出力に基づいて異常検知信号をメインコントローラ２０に出力する。制御部１３１は異常検知信号の出力と同時にブザー１３４を鳴らす。
【００４０】
また、ドアーセンサ１２などが異常を検知してメインコントローラ２０に異常検知信号を与えたときには、メインコントローラ２０から警報ブザー鳴動信号が通信部１３３を介して、制御部１３１に与えられる。制御部１３１は、警報ブザー鳴動信号に応じてブザー１３４を鳴らす。
【００４１】
なお、ドアーセンサ１２、カーモニタ１４、火災検知器１５も略同様にして構成されており、それぞれが異常を検知すると異常検知信号をメインコントローラ２０に出力するとともに、警報ブザー鳴動信号を出力して、それぞれに内蔵されているブザーを鳴らす。
【００４２】
図４は、メインコントローラ２０のブロック図である。図４に示すようにメインコントローラ２０は、制御部２０１と、制御部２０１に内蔵されるセキュリティ管理制御部２０２および通信制御部２０３と、制御部２０１に接続されて制御される通信部２０４および外部通信部２０５とを含む。
【００４３】
制御部２０１は、メインコントローラ２０全体を制御するものであり、通信制御部２０３は、通信部２０４と、外部通信部２０５とを制御する。セキュリティ管理制御部２０２は、非警戒モードであるかあるいは警戒モードであるか、さらに在宅警戒モードであるかあるいは不在警戒モードであるかのモード設定を行ったり、例えば、ドアーセンサ１２から与えられる異常検知信号に基づいて異常である旨を知らせる警報情報を居住者に通知したりするための制御を行う。このために、制御部２０１は、異常検知信号に基づいて警報情報を外部通信部２０５により、図１に示したルータ３０を介して公衆電話回線３１に出力する。
【００４４】
通信部２０４は、ドアーセンサ１２、窓センサ１３、カーモニタ１４、火災検知器１５、カメラ１６とそれぞれ通信を行う。この通信には、前述のごとく無線ＬＡＮあるいは特定小電力無線が用いられる。
【００４５】
図５はこの発明の一実施形態のセキュリティシステムが設置される建物の平面図であり、（Ａ）は建物の１階３０１を示し、（Ｂ）は同じ建物の２階３０２を示す。
【００４６】
図５（Ａ）に示すように、建物の１階３０１には、玄関３１１と、３つの部屋３１２、３１３、３１４とが設けられている。玄関３１１の図示しないドアーにはドアーセンサ１２が設置されており、部屋３１２、３１３、３１４のそれぞれの窓には窓センサ１３ａ，１３ｂ，１３ｃが設置されている。窓センサ１３ａ，１３ｂ，１３ｃは、図３に示した窓センサ１３と同様にして構成されている。
【００４７】
なお、図５（Ｂ）に示すように建物の２階３０２にも部屋３２１、３２２が設けられているが、２階３０２は、１階３０１に比べてセキュリティ性が高いため、窓センサは設けられていない。ただし、２階３０２にも窓センサを設ければ、さらにセキュリティ性を高めることができる。
【００４８】
１階３０１の各部屋３１２、３１３、３１４にはそれぞれ照明スイッチ３３１、３３２、３３３が設けられており、２階３０２の部屋３２１、３２２にもそれぞれ照明スイッチ３３４、３３５が設けられている。メインコントローラ２０は、例えば１階の部屋３１２が居間とすると、この部屋３１２に設置されるが、他の部屋に設置してもよい。
【００４９】
例えば、１階の部屋３１２は、照明がオフにされたときに警戒モードに設定されるものと予め定められている。このため照明センサ１１は部屋３１２に設置されるが、特に限定されるものではない。照明センサ１１は、部屋３１２の照明スイッチ３３１がオフされていることを検知すると、消灯検知信号をメインコントローラ２０に出力する。なお、照明センサ１１の検知部１１２は、１階の照明スイッチ３３１〜３３３がオフにされたとき、あるいは１階の照明スイッチ３３１〜３３３および２階の照明スイッチ３３４，３３の全てがオフにされたときに消灯状態を検知するようにしてもよい。
【００５０】
また、玄関３１１の図示しない常夜灯などは夜中において、連続点灯であるため、このような常夜灯を除く屋内の廊下などの照明灯が全て消灯しているときのみ、消灯検知信号を出力するようにしてもよい。
【００５１】
図６および図７は、この発明の一実施形態におけるセキュリティシステムの動作を説明するためのフローチャートであり、特に、図６はメインコントローラ２０の動作を示し、図７は窓センサ１３ａの動作を示す。
【００５２】
メインコントローラ２０の制御部２０１は、図６に示すステップ（図示ではＳＰと略称する。）ＳＰ１において、照明連動モードに設定されているか否かを判別する。照明連動モードは、照明が消灯されたことに連動して警戒モードに移行するモードである。照明連動モードは、例えばメインコントローラ２０にスイッチなどを設けるかあるいはリモコンにより設定すればよい。
【００５３】
制御部２０１は、照明連動モードが設定されるまで待機し、照明連動モードが設定されていることを判別すると、ステップＳＰ２において、照明連動モードが解除されているか否かを判別する。解除されていれば、ステップＳＰ１に戻り、解除されていなければ、照明センサ１１の出力に基づいて、例えば部屋３１２の照明灯の照明スイッチ３３１のオン、オフの監視に移る。
【００５４】
ステップＳＰ３において、現在の時刻が、例えば２０：００〜５：００の時間帯内であるか否かを判別する。この時間帯は、夜間としてメインコントローラ２０に含まれている時間帯設定手段としてのメモリ（図示せず）に予め設定しておくか、あるいはリモコンなどにより、任意の時間帯を設定してもよい。現在時刻は、例えばメインコントローラ２０の制御部２０１がソフト処理によりクロックを計数することで計時できる。現在時刻が２０：００〜５：００の時間帯内でなければ、ステップＳＰ２に戻る。
【００５５】
現在時刻が２０：００〜５：００の時間帯内の夜間であることを判別すると、ステップＳＰ４において、照明センサ１１の出力に基づいて、図５に示した該当する部屋３１２の照明スイッチ３３１がオフにされて、照明灯が消灯されているか否かを判別する。消灯されていなければステップＳＰ２に戻る。消灯されていることを判別すると、ステップＳＰ５において、警戒モードを設定し、警戒モードに入ったことをドアーセンサ１２、窓センサ１３ａ，１３ｂ，１３ｃ、カーモニタ１４、火災検知器１５に通知する。
【００５６】
ステップＳＰ６において、警戒モードが解除されているか否かを判別し、解除されていれば、ステップＳＰ７において、警戒モードの解除をドアーセンサ１２、窓センサ１３ａ，１３ｂ，１３ｃ、カーモニタ１４、火災検知器１５に通知する。警戒モードの解除でないことを判別すると、ステップＳＰ８において、ドアーセンサ１２、窓センサ１３ａ，１３ｂ，１３ｃのいずれかから異常検知信号が与えられたか否かを判別し、与えられていなければ待機する。
【００５７】
一方、ドアーセンサ１２、窓センサ１３ａ，１３ｂ，１３ｃ、カーモニタ１４、火災検知器１５は、警戒モードの通知を受けるまで待機しており、警戒モードの通知を受けると、警戒動作に入る。以下の説明では、図７を参照して、窓センサ１３ａの動作を代表例として説明するが、他のドアーセンサ１２、窓センサ１３ｂ，１３ｃ、カーモニタ１４、火災検知器１５も略同じである。
【００５８】
窓センサ１３ａの制御部１３１は、図７に示すステップＳＰ１１において、警戒モードが設定されるまで待機している。ステップＳＰ１２において、警戒モードが解除されているか否かを判別し、警戒モードが解除されていればステップＳＰ１１に戻り、警戒モードが解除されていなければ、ステップＳＰ１３において、メインコントローラ２０から警報ブザー鳴動信号を受信したか否かを判別し、受信していなければ、ステップＳＰ１４において窓が開かれたか否かを判別する。
【００５９】
窓センサ１３ａは、窓が開かれるまで待機しており、検知部１３２が窓の開かれたことを検知すると、制御部１３１は通信部１３３を介して窓が開かれたことを示す異常検知信号を親機であるメインコントローラ２０に出力する。また、制御部１３１は、ステップＳＰ１６において、窓センサ１３ａ内の対応するブザー１３４を鳴らす。ステップＳＰ１７において、ブザー１３４を鳴らしてから例えば３０秒経過したか否かを判別し、経過するとステップＳＰ１８において、警報ブザーによる警報の報知を停止して、処理を終了する。この３０秒は任意の時間に設定すればよい。
【００６０】
図６に戻って、メインコントローラ２０は、ステップＳＰ８において、異常検知信号が与えられたことを判別すると、ステップＳＰ９において、ドアーセンサ１２と、窓センサ１３ｂ，１３ｃにブザー鳴動信号を出力し、ステップＳＰ１０において登録されている携帯電話機３５に窓が開かれたことを示す警報情報をメールにて通知する。この場合、警報情報を警備会社に通報するようにしてもよい。
【００６１】
なお、ここで、例えば窓センサ１３ａ自身が異常検知信号を出力せず、例えばドアーセンサ１２がドアーの開かれたことを検知したものとする。ドアーセンサ１２は、ドアーが開かれたことを検知したことに応じて、異常検知信号を出力してメインコントローラ２０に出力する。メインコントローラ２０は、警報ブザー鳴動信号を窓センサ１３ａ，１３ｂ，１３ｃに与える。窓センサ１３ａの制御部１３１は、図７に示すステップＳＰ１３において、その警報ブザー鳴動信号の受信を判別し、ステップＳＰ１６と同様に、ブザー１３４を鳴らし、ステップＳＰ１７において、３０秒の経過を判別すると、ステップＳＰ１８において、ブザー１３４による警報を停止する。
【００６２】
なお、図３に示した例では、窓センサ１３にブザー１３４を内蔵させたが、これに限ることなく、ブザー１３４をアクチュエータとして独立の端末機器として構成してもよく、あるいはメインコントローラ２０に内蔵してもよい。
【００６３】
また、上述の実施形態では、照明灯４１が消灯したとき、警戒モードになるようにしたが、これに限ることなく、人が在宅中は電源が投入されることが多い、テレビ、ラジオなどのその他の家庭用電気製品の電源がオフされたとき、警戒モードに設定するようにしてもよい。
【００６４】
さらに、上述の説明では、この発明をホームセキュリティシステムに適用したが、これに限ることなく、事務所、倉庫、工場などのセキュリティシステムに適用してもよい。
【００６５】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【産業上の利用可能性】
【００６６】
この発明のセキュリティシステムおよびセキュリティシステムにおける警戒モード設定方法は、各家庭内に不審者が侵入するのを警戒するために設置されるホームセキュリティシステムに利用できる。
【図面の簡単な説明】
【００６７】
【図１】この発明の一実施形態におけるセキュリティシステムの全体の構成を示す概略ブロック図である。
【図２】図１に示した照明センサを示すブロック図である。
【図３】図１に示した窓センサを示すブロック図である。
【図４】図１に示したメインコントローラのブロック図である。
【図５】この発明の一実施形態のセキュリティシステムが設置される建物の平面図である。
【図６】この発明の一実施形態におけるセキュリティシステムの動作を説明するためのフローチャートであり、メインコントローラの動作を示す。
【図７】この発明の一実施形態におけるセキュリティシステムの動作を説明するためのフローチャートであり、窓センサの動作を示す。
【符号の説明】
【００６８】
１１  照明センサ、１２  ドアーセンサ、１３，１３ａ，１３ｂ，１３ｃ  窓センサ、１４  カーモニタ、１５  火災検知器、１６  カメラ、２０  メインコントローラ、２１  スイッチ、３０  ルータ、３１  公衆電話回線、３２  インターネット回線、３３  サーバ、３４  基地局、３５  携帯電話機、４１  照明灯、４２，４３  接点、１１２，１３２  検知部、１１１，１３１，２０１  制御部、１１３，１３３，２０４  通信部、１３４  ブザー、２０１  セキュリティ管理制御部、２０３  通信制御部、２０５  外部通信部、３０１  １階、３０２  ２階、３１２〜３１４，３２１，３２２  部屋、３３１〜３３５  照明スイッチ。
【図１】
2007272595.tif 000003
【図２】
2007272595.tif 000004
【図３】
2007272595.tif 000005
【図４】
2007272595.tif 000006
【図５】
2007272595.tif 000007
【図６】
2007272595.tif 000008
【図７】
2007272595.tif 000009